(57)【要約】      （修正有）【課題】開閉パネルの指掛け部が目立たないようにして意匠性の向上を図る空気調和機の室内機を提供する。【解決手段】開閉パネル２０の横幅Ｗｂを本体パネル１０の横幅Ｗａよりも大きな横幅として、開閉パネル２０の左右の端縁に本体パネル１０に回り込むフランジ部２４が形成されるとともに、本体パネル側にフランジ部２４と面一となるように突出する突き当て部１５が設けられる空気調和機の室内機１において、フランジ部２４は下部に突き当て部１５の背面にまで延びて端縁が指掛け部として突き当て部の背面に露出する舌片５０を有し、突き当て部１５には舌片５０が嵌め合される切欠部が設けられている。【選択図】図１
2018165577.tif 000002
【特許請求の範囲】
【請求項１】
本体パネルと、上記本体パネルの前面に上縁側を軸として回動するように取り付けられた開閉パネルとを含む直方体状の室内機筐体を備え、上記開閉パネルの横幅は上記本体パネルの横幅よりも大きな幅を有し、上記開閉パネルの左右の側縁に上記本体パネル側に回り込むフランジ部が形成されるとともに、上記本体パネルの左側および右側に上記フランジ部と面一となるように突出する突き当て部が設けられる空気調和機の室内機において、  上記フランジ部は下部に上記突き当て部の背面にまで延びて端縁が指掛け部として上記突き当て部の背面に露出する舌片を有し、上記突き当て部には上記舌片が嵌め合される切欠部が設けられていることを特徴とする空気調和機の室内機。
【請求項２】
上記舌片の下辺は、上記開閉パネルが回動する際に上記切欠部と干渉しないように、上記端縁に向かって傾斜することを特徴する請求項１に記載の空気調和機の室内機。
【請求項３】
上記指掛け部は上記突き当て部の背面に沿って上記本体パネル側に回り込む折り返し部を備えていることを特徴とする請求項１または２に記載の空気調和機の室内機。
【請求項４】
上記舌片の内面には上記舌片の延在方向に沿って突出するリブが形成されており、上記リブの端面が、上記指掛け部となることを特徴とする請求項１または２に記載の空気調和機の室内機。
【発明の詳細な説明】
【技術分野】
【０００１】
本発明は、空気調和機に関し、さらに詳しく言えば、前面に開閉パネルを有する壁掛け式室内機に関するものである。
【背景技術】
【０００２】
空気調和機の壁掛け式室内機の一部の機種は、図８（ａ），（ｂ）に示すように室内機筐体９を覆う本体パネル９０の前面にフラットな面を有する開閉パネル９１を備えているものがある。開閉パネル９１は、その上辺側に設けられている回転軸を中心に回動可能であり、主としてフィルターのメンテナンス時に手動にて開かれる。
【０００３】
そのため、開閉パネル９１と本体パネル９０との合わせ目で、本体パネル９０側に開閉パネル９１に対する指掛け部としての凹部９２を設けるか、もしくは開閉パネル９１の側縁に指掛け用の凸部９３を設けて、フィルターのメンテナンス時に、その指掛け部に指を掛けて開閉パネル９１を開きやすくしている。
【０００４】
ところで、このような開閉パネルを有する室内機において、最近では、室内機を大型に見せるとともに、開閉パネルで本体パネルを隠すことで美観の向上を図っているものがある。
【０００５】
このような室内機では、開閉パネルの横幅を本体パネルの横幅よりも大きな幅として、開閉パネルの両端に本体パネルに回り込むフランジ部を形成するとともに、本体パネル側に上記フランジ部と面一となるように突出する突き当て部を有するようにしている（例えば、特許文献１参照）。
【先行技術文献】
【特許文献】
【０００６】
【特許文献１】中国意匠公報ＣＮ３０３７５６９１２Ｓ
【発明の概要】
【発明が解決しようとする課題】
【０００７】
しかしながら、壁掛け式室内機は壁面の高所に設置され下から見上げられるため、上記のように、開閉パネルのフランジ部と本体パネルの突き当て部との合わせに目に指掛け部としての凹部もしくは凸部を設けると、指掛け部が目に付きやすく美観が損なわれる、という問題がある。
【０００８】
そこで、本発明の課題は、開閉パネルを本体パネルの横幅よりも大きな横幅として、開閉パネルの両端に本体パネルに沿うフランジ部を形成するとともに、本体パネル側に上記フランジ部と面一となるように突出する突き当て部を有する空気調和機の室内機において、開閉パネルの指掛け部が目立たないようにして意匠性の向上を図ることにある。
【課題を解決するための手段】
【０００９】
上記課題を解決するため、請求項１に係る発明は、本体パネルと、上記本体パネルの前面に上縁側を軸として回動するように取り付けられた開閉パネルとを含む直方体状の室内機筐体を備え、上記開閉パネルの横幅は上記本体パネルの横幅よりも大きな幅を有し、上記開閉パネルの左右の側縁に上記本体パネル側に回り込むフランジ部が形成されるとともに、上記本体パネルの左側および右側に上記フランジ部と面一となるように突出する突き当て部が設けられる空気調和機の室内機において、上記フランジ部は下部に上記突き当て部の背面にまで延びて端縁が指掛け部として上記突き当て部の背面に露出する舌片を有し、上記突き当て部には上記舌片が嵌め合される切欠部が設けられていることを特徴としている。
【００１０】
請求項２に係る発明は、請求項１において、上記舌片の下辺は、上記開閉パネルが回動する際に上記切欠部と干渉しないように、上記端縁に向かって傾斜することを特徴としている。
【００１１】
請求項３に係る発明は、請求項１または２において、上記指掛け部は上記突き当て部の背面に沿って上記本体パネル側に回り込む折り返し部を備えていることを特徴としている。
【００１２】
請求項４に係る発明は、請求項１または２において、上記舌片の内面には上記舌片の延在方向に沿って突出するリブが形成されており、上記リブの端面が、上記指掛け部となることを特徴としている。
【発明の効果】
【００１３】
本発明によれば、開閉パネルのフランジ部と本体パネルの突き当て部との合わせ目に指掛け部としての凹部もしくは凸部がなく、開閉パネルの指掛け部が視認されない突き当て部の背面側に設けられることにより、意匠性の向上を図ることができる。
【００１４】
また、舌片の内面には上記舌片の延在方向に沿って突出するリブを形成し、リブの端面が指掛け部となることにより、触ったときの感覚で指掛け部の位置を容易に知ることができる。
【図面の簡単な説明】
【００１５】
【図１】本発明の空気調和機が備える室内機筐体の外観斜視図。
【図２】室内機筐体の（ａ）開閉パネルを閉じた状態を示す側面図、（ｂ）開閉パネルを開いた状態を示す側面図。
【図３】図１のＤ−Ｄ線に沿った一部拡大断面図。
【図４】室内機筐体が備える指掛け部の第１例を示し、（ａ）図１のＥ−Ｅ線に沿った一部拡大断面図、（ｂ）背面側から見た斜視図。
【図５】室内機筐体が備える指掛け部の第１例のバリエーションを示し、（ａ）図１のＥ−Ｅ線に沿った一部拡大断面図、（ｂ）その斜視図。
【図６】室内機筐体が備える指掛け部の第２例を示し、（ａ）図１のＥ−Ｅ線に沿った一部拡大断面図、（ｂ）背面側から見た斜視図。
【図７】室内機筐体が備える指掛け部の第３例を示し、（ａ）図１のＥ−Ｅ線に沿った一部拡大断面図、（ｂ）背面側から見た斜視図。
【図８】従来の室内機筐体の指掛け部を示す図で、（ａ）は指掛け部を凸状に設けた図、（ｂ）は指掛け部を凹状に設けた図。
【発明を実施するための形態】
【００１６】
次に、図１ないし図７を参照して、本発明の室内機筐体１について説明するが、本発明はこの実施形態に限定されるものではない。
【００１７】
本発明に係る空気調和機の室内機は、空調室内に設置され、屋外に設置される室外機と冷媒配管を介して接続されて冷凍サイクルを構成する。
【００１８】
本発明の空気調和機の室内機は、図１に示す直方体状の室内機筐体１Ａを備えている。図２を併せて参照して、室内機筐体１Ａは、室内機筐体１Ａの外郭を形成する本体パネル１０を有し、本体パネル１０の前面には開閉パネル２０が取り付けられている。
【００１９】
本体パネル１０は、上面を覆う上面部１２、左側面を覆う左側面部１１Ｌ、右側面を覆う右側面部１１Ｒおよび前面を覆う前面部１３を備えている。左側の左側面部１１Ｌ、右側の右側面部１１Ｒを区別する必要がない場合には、総称として側面部１１と言う。
【００２０】
図示しないが、本体パネル１０内には、熱交換器と送風ファンや同熱交換器と送風ファンを支持して送風路を形成するケーシング等が収納されている。この実施形態において、空気吸込部（図示せず）は上面部１２に形成されている。
【００２１】
空気吹出部１６は、前面部１３の下部に形成されており、空気吹出部１６には上下風向板１４が設けられている。上下風向板１４は２枚であってもよい。図示しないが、空気吹出部１６内には左右風向板が設けられている。
【００２２】
開閉パネル２０は、開閉パネル２０の周囲に上縁２１、下縁２２、左側縁２３Ｌおよび右側縁２３Ｒとする横長矩形状のパネルである。
【００２３】
図２（ａ），（ｂ）に示すように、開閉パネル２０は、上縁２１の内側に本体パネル１０に対する軸（回動支軸）Ｊを有し、軸Ｊの周りに開閉パネル２０が回動して下縁２２側が開閉するように本体パネル１０の前面に取り付けられている。なお、左側縁２３Ｌ、右側縁２３Ｒを区別する必要がない場合には、総称として側縁２３と言う。
【００２４】
先の図１を参照して、本体パネル１０の側面部１１間の横幅（左側面部１１Ｌと右側面部１１Ｒ間の幅）をＷａ，開閉パネル２０の側縁２３間の横幅（左側縁２３Ｌと右側縁２３Ｒ間の幅）をＷｂとするとＷａ＜Ｗｂとなっている。
【００２５】
すなわち、開閉パネル２０は、本体パネル１０の側面部１１間の横幅Ｗａよりも大きな横幅Ｗｂを有し、開閉パネル２０の側縁２３は本体パネル１０の側面部１１よりも外側に突き出ている。
【００２６】
この突き出た部分において、開閉パネル２０の側縁２３（２３Ｌ，２３Ｒ）には、側面部１１側に回り込むフランジ部２４（２４Ｌ，２４Ｒ）が形成されている。
【００２７】
図３を参照して、本体パネル１０の側面部１１（１１Ｌ，１１Ｒ）には、開閉パネル２０を閉じた時にフランジ部２４（２４Ｌ，２４Ｒ）と面一となるように本体パネル１０の側面部１１（１１Ｌ，１１Ｒ）から角度Ｋが略垂直（８０度）になるように突出する突き当て部１５（１５Ｌ，１５Ｒ）が設けられている。フランジ部２４（２４Ｌ，２４Ｒ）と突き当て部１５（１５Ｌ，１５Ｒ）は開閉パネル２０を閉じた時に合わせ目Ｍで突き合わされる。なお、突き当て部１５（１５Ｌ，１５Ｒ）はパネルカバーとして別部品でもよい。
【００２８】
なお、図２（ａ），（ｂ）には、側縁２３の一方の右側縁２３Ｒ側のフランジ部２４Ｒと突き当て部１５Ｒが示されているが、他方の左側縁２３Ｌ側にも対称な形状のフランジ部２４Ｌと突き当て部１５Ｌが設けられる。以下の説明ではフランジ部２４と突き当て部１５として説明するが、フランジ部２４Ｒと２４Ｌおよび突き当て部１５Ｒと１５Ｌはそれぞれ同様の構造である。
【００２９】
図４を参照して、フランジ部２４は、ユーザーの手が届くフランジ部２４の下部に突き当て部１５の背面１５ｂにまで延びる舌片５０を有し、舌片５０の端縁５０ａが指掛け部５１０として突き当て部１５の背面１５ｂに露出している。なお、突き当て部１５の背面１５ｂとは、当該室内機筐体１が設置される壁面側に向けられる面である（裏面ともいう）。
【００３０】
舌片５０は、図１に示すように、フランジ部２４と面一となるように形成され、突き当て部１５には、図２（ｂ）に示すように、舌片５０の外形形状に合致する形状の切欠部６０が設けられており、舌片５０は切欠部６０に嵌め合される。
【００３１】
また、舌片５０の下辺５０ｂは、開閉パネル２０が回動する際に切欠部６０と干渉しないように、端縁５０ａに向かって上方に傾斜している。舌片５０の上辺５０ｃも、下辺５０ｂと対称形となるように端縁５０ａに向かって下方に傾斜している。
【００３２】
これによれば、開閉パネル２０のフランジ部２４と本体パネル１０の突き当て部１５との合わせ目Ｍに指掛け部としての凹部もしくは凸部がなく、開閉パネル２０の指掛け部５１０が視認されない突き当て部１５の背面１５ｂ側に露出して設けられることにより、意匠性の向上を図ることができる。
【００３３】
操作性については、手を突き当て部１５の背面１５ｂ側に手を回して、その背面１５ｂに位置する指掛け部５１０（舌片５０の端縁５０ａ）を指で手前側に引くことにより、開閉パネル２０を開けることができる。
【００３４】
なお、図５（ａ），（ｂ）に示すように、舌片５０の外面に、フランジ部２４と突き当て部１５との合わせ目Ｍが舌片５０で分断した印象を解決するために合わせ目Ｍと繋がる化粧溝５０１を形成してもよい。
【００３５】
次に、指掛け部５１０の第２例として、図６（ａ），（ｂ）に示すように、舌片５０の端部を突き当て部１５の背面１５ｂに沿って本体パネル１０の側面部１１側に回り込ませて折り返し部５１１とし、この折り返し部５１１を指掛け部５１０とする。これによれば、指掛け部５１０に対する指の接触面積を大きくすることができるため、開閉パネル２０をより楽に開けることができる。
【００３６】
また、指掛け部５１０の第３例として、図７（ａ），（ｂ）に示すように、舌片５０の内面に、舌片５０の延在方向に沿って突出するリブ５２０を好ましくは複数個形成し、それらの各端面５２１を舌片５０の端縁５０ａとともに指掛け部５１０として突き当て部１５の背面１５ｂに露出させてもよく、これによれば、指の接触面積を大きくすることができるとともに、触ったときにリブ５２０が指にあたる感覚で指掛け部５１０の位置を容易に知ることができる。
【００３７】
以上説明したように、開閉パネルの指掛け部が視認されない突き当て部の背面側に設けられることにより、意匠性の向上を図ることができる。また、指掛け部に対する指の接触面積を大きくすることができるため、開閉パネルを楽に開けることができる。さらには、舌片の内面に舌片の延在方向に沿って突出するリブを形成し、リブの端面を舌片の端縁とともに指掛け部として突き当て部の背面に露出させることにより、触ったときの感覚で指掛け部の位置を容易に知ることができる、等の効果が奏される。
【符号の説明】
【００３８】
１  室内機筐体
１０  本体パネル
１１（１１Ｌ，１１Ｒ）  側面部
１２  上面部
１３  前面部
１４  上下風向板
１５  突き当て部
１５ｂ  突き当て部の背面（裏面）
２０  開閉パネル
２３（２３Ｌ，２３Ｒ）  側縁
２４（２４Ｌ，２４Ｒ）  フランジ部
５０  舌片
５０ａ  舌片の端縁
５０ｂ  舌片の下辺
５０ｃ  舌片の上辺
５０１  化粧溝
５１０  指掛け部
５１１  舌片の折り返し部
５２０  リブ
５２１  リブの端面
６０  切欠部
Ｊ  軸
Ｍ  合わせ目
【図１】
2018165577.tif 000003
【図２】
2018165577.tif 000004
【図３】
2018165577.tif 000005
【図４】
2018165577.tif 000006
【図５】
2018165577.tif 000007
【図６】
2018165577.tif 000008
【図７】
2018165577.tif 000009
【図８】
2018165577.tif 000010